(57)【特許請求の範囲】
【請求項１】
案内文等の適宜な情報を表示し、申込控えを形成した情報表示用紙の申込控え形成面に、申込に必要な事項を記入する申込記入部を有する申込記入用紙を、前記申込記入部が前記申込控えと上下に対応位置するようにして分離可能に設け、前記情報表示用紙または前記申込記入用紙に剥離剤を塗布してなる剥離部を設け、この剥離部に、封緘片または封緘片が折り重ねられる本体部分に粘着剤を塗布してなる封筒を、前記粘着剤によって剥離可能に接着し、申込記入用紙の申込記入部へ記入することで、前記情報表示用紙の申込控えに複写記入するよう、複写構造を設けるとともに、情報表示用紙に封筒と重なり合わないように複数の折り部を設け、前記封筒が内側になるように前記情報表示用紙を折り重ねたときに表出する前記情報表示用紙の部分に宛て名情報表示部を設け、前記情報表示用紙には、封緘するための封緘接着部と、開封するための開封切り取り部とを設け、前記開封切り取り部の一部は、前記申込控え部分を切り離すための切り取り部を兼ねることを特徴とする封筒付き申込用紙。
【発明の詳細な説明】
【０００１】
【発明の属する技術分野】
本発明は、会員制の各種クラブやカードの入会申込等を行うための封筒付き申込用紙に関する。
【０００２】
【従来の技術】
従来のこの種封筒付き申込用紙は、第１に、申込用紙の一部に他の紙片を重ね合わせ、挿入口を除いた３周縁を綴じ合わせて封筒部を形成し、この封筒部を申込用紙から切り取り可能に構成したり、第２に、別体の申込用紙と封筒を別途用意した収納袋に一緒に収納しているのが一般的である。
【０００３】
【発明が解決しようとする課題】
従来の第１の構成によると、申込用紙に封筒部を形成する余分な部分を確保しておかなければならず、無駄な部分が必要になるとともに、封筒部は、３周縁に沿って接着されているので、封筒の外形に比較して実質的な収納空間が狭くなるという不都合がある。また、従来の第２の構成によると、収納袋を別途用意するのが煩雑であるとともに、収納袋へ申込用紙と封筒を収納する作業も煩雑であり、加えて、申込用紙や封筒の一方を収納し忘れる等のミスが生じ易いという不都合がある。
【０００４】
また、従来においては、控えが備えられていないので、控えを必要とする場合には、申込用紙に必要事項を記入後に複写機で複写しなければならず、この複写作業は煩雑であるという不都合があった。
【０００５】
本発明はこのような不都合を解消した封筒付き申込用紙を提供することを目的とする。
【０００６】
【課題を解決するための手段】
上述した目的を達成するために本発明の請求項１に記載した封筒付き申込用紙は、案内文等の適宜な情報を表示し、申込控えを形成した情報表示用紙の申込控え形成面に、申込に必要な事項を記入する申込記入部を有する申込記入用紙を、前記申込記入部が前記申込控えと上下に対応位置するようにして分離可能に設け、前記情報表示用紙または前記申込記入用紙に剥離剤を塗布してなる剥離部を設け、この剥離部に、封緘片または封緘片が折り重ねられる本体部分に粘着剤を塗布してなる封筒を、前記粘着剤によって剥離可能に接着し、申込記入用紙の申込記入部へ記入することで、前記情報表示用紙の申込控えに複写記入するよう、複写構造を設けるとともに、情報表示用紙に封筒と重なり合わないように複数の折り部を設け、前記封筒が内側になるように前記情報表示用紙を折り重ねたときに表出する前記情報表示用紙の部分に宛て名情報表示部を設け、前記情報表示用紙には、封緘するための封緘接着部と、開封するための開封切り取り部とを設け、前記開封切り取り部の一部は、前記申込控え部分を切り離すための切り取り部を兼ねるものである。この構成によれば、別途封筒を用意することなく申込者に向けて郵送することができる。
【０００７】
【発明の実施の形態】
以下、本発明の好適な実施形態を添付図面に基づき詳細に説明する。ここにおいて、図１〜図５は第１の実施形態を示し、図１は封筒付き申込用紙の封筒接着面側を示す概略的な斜視図、図２は同じく反対面側を示す概略的な斜視図、図３は図１の概略的なＡ−Ａ線断面図、図４は封筒状にした封筒付き申込用紙の概略的な断面図、図５は開封後の封筒付き申込用紙から封筒を剥離した状態を示す概略的な斜視図である。また、図６は封筒の粘着剤塗布位置に関する他の実施形態を示す概略的な断面図である。
【０００８】
まず、第１の実施形態である申込者に郵送する形態の構成を説明すると、図１〜図３に示すように、封筒付き申込用紙１は、折り部たる折り用ミシン目２，３で幅方向にほぼ３等分されて、第１紙片４、第２紙片５、第３紙片６の３紙片からなる情報表示用紙７と、この情報表示用紙７の前記第１紙片４の上端部に剥離可能に接着した封筒８を備えている。
【０００９】
また、封筒８の下には、この封筒８よりも一回り小さい申込記入用紙たる入会申込書９の一端が、接着剤１０で情報表示用紙７に綴じ合わされるとともに、切り用ミシン目１１から切り取り可能となっている。
【００１０】
図１で理解できるように、情報表示用紙７の表面側には、第２紙片５と第３紙片６に案内文１２をあらかじめ印刷してある。一方、封筒８の表面側には、入会の申込先である送付先の宛名表示１３をあらかじめ印刷してある。そして、図３に示すように、情報表示用紙７の第１紙片４の表面に剥離剤を塗布してなる剥離部１４を設け、この剥離部１４に、封緘片８ａの裏面に粘着剤１５を塗布した封筒８を、前記粘着剤１５によって剥離可能に接着してある。
【００１１】
また、図３に示すように、入会申込書９の裏面にはロイコ系染料を内包したマイクロカプセル層からなる発色剤層１６を設け、前記入会申込書９に対応する情報表示用紙７の表面には、固体酸からなる顕色剤層１７を設け、これら対向する各層１６，１７によってノーカーボン複写構造を構成している。この複写構造により、前記入会申込書９の申込記入部たる申込記入欄１８（図５参照）への記入で、前記情報表示用紙７の対応部分に設けた申込控えたる複写記入欄（図示せず）に複写記入することができるものである。
【００１２】
図１及び図２に示すように、情報表示用紙７の表面の第１紙片４の折り用ミシン目２とは反対側の端部を除いた３周縁に沿った部分、及び前記第１紙片４の裏面の折り用ミシン目２側を除く３周縁に沿った部分には、封緘するための封緘接着部たる感圧性接着剤１９を塗布している。また、これら感圧性接着剤１９塗布部分の内側と、折り用ミシン目２の両側には、開封するための開封切り取り部たる切り用ミシン目２０を設けている。
【００１３】
さらに、図２に示すように、情報表示用紙７の裏面には、第３紙片６の裏面を申込用紙の送付先である申込者の宛て名情報２１を印字する宛て名情報表示部とするほか、第２紙片５には差出人情報２２を印刷し、第１紙片４には案内文２３を印刷してある。
【００１４】
本実施形態は以上のように構成したので、図１〜図３に示す申込葉書付き用紙１は、まず適宜なプリンタによって、第３紙片６の裏面側に宛て名情報２１を印字する。この情報を印字した後、折り用ミシン目２で第２紙片５の表面側に封筒８を接着した第１紙片４の表面側を重ねるように折り重ね、次いで、折り用ミシン目３で第３紙片６の表面側を第１紙片４の裏面側に重ねるように折り重ねる。そして、感圧性接着剤１９の接着条件である所定の圧を加えると、第３紙片６と第２紙片５の裏面側が表出した封筒２４となり（図４参照）、投函が可能となる。
【００１５】
一方、この封筒を受領した宛て名人は、各切り用ミシン目２０を破断すると、封筒２４を開封することができる。ここで、第１紙片４は第２紙片５及び第３紙片６から切り離された状態となる。そして、封筒８を剥離部１４から剥離後（図５参照）、入会申込書９の入会申込記入欄１８に所定事項を記入すると、同一内容が前記各切用ミシン目２０で第２紙片５側から切り離された状態の第１紙片４の複写記入欄（図示せず）に複写記入されて控えとなる。ここで、前記入会申込書９を切りミシン目１１から切り離し、前記封筒８内に前記入会申込書９を封入して、封緘片８ａを封筒８本体に折り返すと、粘着剤１５で封緘片８ａは封筒８本体に接着して、封緘状態となり、投函可能となる。
【００１６】
図６は封筒２８に設ける粘着剤２９を、封緘片２８ａにではなく、封緘片２８ａが折り重ねられる封筒２８本体部分に設けた例を示すものである。この構成によると、封筒２８内に入会申込書３０を挿入する際に、前記粘着剤２９に前記入会申込書３０が触れる虞がなく、円滑に挿入できる。
【００１７】
なお、本発明は上述した実施形態に限定されるものではなく、例えば、ノーカボン式の複写構造１６，１７，４８，４９にかえて、自己発色式の複写構造を採用してもよい。
【００１８】
【発明の効果】
以上説明したところで明らかなように、本発明の請求項１に記載した封筒付き申込用紙によれば、封筒を封緘片または封緘片が折り重なる本体部分に設けた粘着剤で情報表示用紙の剥離部に剥離可能に接着したので、剥離後の封筒の封緘は、あらかじめ設けられている粘着剤を使用できるから、簡便かつ能率的に行うことができ、また、複写構造を採用し、かつ、開封時に開封切り取り部を切り取ることにより、情報表示用紙の一部を控えと切り離せるので、従来の複写機の複写による控え作成作業を行う必要がなくなり、煩雑性が解消され、さらに、申込者に対する申込用紙の郵送を、容易になし得るという効果を奏する。
【図面の簡単な説明】
【図１】  第１の実施形態における封筒付き申込用紙の封筒接着面側を示す概略的な斜視図。
【図２】  同じく封筒付き申込用紙の反対面側を示す概略的な斜視図。
【図３】  同じく図１の概略的なＡ−Ａ線断面図。
【図４】  同じく封筒状にした封筒付き申込用紙を示す概略的な斜視図。
【図５】  同じく開封後に封筒を剥離した状態の情報表示用紙を示す概略的な斜視図。
【図６】  封筒の粘着剤塗布位置に関する他の実施形態を示す概略的な断面図。
【符号の説明】
１      封筒付き申込用紙
２，３      折り用ミシン目
４      第１紙片
５      第２紙片
６      第３紙片
７      情報表示用紙
８，２８      封筒
８ａ，２８ａ      封緘片
９      入会申込書
１１，２０      切り用ミシン目
１２，２３      案内文
１３      宛名表示
１４      剥離部
１５      粘着剤
１６      発色剤層
１７      顕色剤層
１８      申込記入欄
１９      感圧性接着剤
【図１】
0003755969.tif 000002
【図２】
0003755969.tif 000003
【図３】
0003755969.tif 000004
【図４】
0003755969.tif 000005
【図５】
0003755969.tif 000006
【図６】
0003755969.tif 000007